(57)【要約】【課題】泡立ちが良く、皮膚に優しいボディタオルを提供する。【解決手段】天然繊維を主成分とする繊維からなる第１外布部１及び第２外布部２と、合成繊維を主成分とする繊維からなる内布部３とを有し、第１外布部１及び第２外布部２の間に内布部３を配置して一体に形成した。【選択図】図４
2015144784.tif 000002
【特許請求の範囲】
【請求項１】
天然繊維を主成分とする繊維からなる第１外布部及び第２外布部と、合成繊維を主成分とする繊維からなる内布部とを有し、前記第１外布部及び第２外布部の間に前記内布部を配置して一体に形成したボディタオル。
【請求項２】
前記第１外布部及び第２外布部は、丸編みで筒状に一体に形成してある請求項１に記載のボディタオル。
【請求項３】
長手方向に沿ったステッチが複数設けてあり、前記第１外布部及び第２外布部と前記内布部とは、前記ステッチによって固定してある請求項１または２に記載のボディタオル。
【請求項４】
前記内布部に嵩高部を点在させた請求項１〜３のいずれか１項に記載のボディタオル。
【請求項５】
前記内布部は、織物または編物で形成されており、所定の間隔で嵩高部を設けた糸を、部分的に配して形成してある請求項４に記載のボディタオル。
【請求項６】
前記内布部は、経編で形成されており、前記嵩高部を設けた糸を、前記経編の経糸複数本に１本の間隔で長手方向の全長にわたって編み込んである請求項５に記載のボディタオル。
【請求項７】
前記内布部は、織物または編物で形成されており、所定の間隔で嵩高部を設けた糸を、前記ステッチ同士の間に１本配されるように形成してある請求項３に記載のボディタオル。
【発明の詳細な説明】
【技術分野】
【０００１】
本発明は、石けん等の洗浄剤の泡立ちを促進し、かつ、肌当たりの良いボディタオルに関する。
【背景技術】
【０００２】
特許文献１には、横糸にウエーブ処理された糸を使用した織物からなる表生地と、この表生地と同様な裏生地とにより扁平状の袋体を形成し、この袋体内に前記袋体の生地よりも硬さと弾力性を有するメッシュ生地をその一部が重なり合うように弛ませた状態で適数枚入れ、メッシュ生地の周縁部と袋体の周縁部に装着した泡立て具が開示されている。この泡立て具では、内部布であるメッシュ生地を数枚入れ、弛ませることでメッシュ生地と表・裏生地との擦れ合いを大きくし、泡立ちを良好にしようとしている。また、この泡立て具は、袋体の表布と裏布に細手のナイロン、ポリエチレン、ポリエステル等の合成繊維を用いている。しかしながら、内部布を弛ませた状態で重なり合わせているので、周縁部を縫合させているとはいえ、その重なり合いが片寄ってしまうと、身体を擦る際に違和感を与えてしまう。また、身体に接する表・裏生地に合成繊維が使用されているので、デリケートな肌の使用者にとっては肌当たりが良くなく不向きである。
【先行技術文献】
【特許文献】
【０００３】
【特許文献１】特許第４４８４１６３号公報
【発明の概要】
【発明が解決しようとする課題】
【０００４】
本発明の目的は、上記実情に鑑みてなされたものであって、複数層を重ね合わせて泡立ち、泡もちを良くするとともに、肌当たりの良いボディタオルを提供する点にある。
【課題を解決するための手段】
【０００５】
本発明に係るボディタオルの第１の特徴構成は、天然繊維を主成分とする繊維からなる第１外布部及び第２外布部と、合成繊維を主成分とする繊維からなる内布部とを有し、前記第１外布部及び第２外布部の間に前記内布部を配置して一体に形成した点にある。
【０００６】
上記構成によれば、使用者の肌に直接触れる第１外布部と第２外布部とは天然繊維を主成分として作られているので、肌に対して優しく、第１外布部と第２外布部とによって覆われた内布部は合成繊維を主成分として作られているので泡立ちが良くなる。また、第１外布部及び第２外布部と内布部とは一体に形成してあるため、内布部のズレを抑制することができる。
【０００７】
本発明に係るボディタオルの第２の特徴構成は、前記第１外布部及び第２外布部を丸編みで筒状に一体に形成した点にある。
【０００８】
上記構成によれば、第1外布部及び第２外布部は筒状編物として一体に形成されるので、個別のシートとして製造するのに比べ、第1外布部と第２外布部との両縁部の縫い合わせの手間を省くことができるとともに、周縁部の縫合処理による身体への違和感も軽減できる。
【０００９】
本発明に係るボディタオルの第３の特徴構成は、長手方向に沿ったステッチが複数設けてあり、前記第１外布部及び第２外布部と前記内布部とを、前記ステッチによって固定した点にある。
【００１０】
上記構成によれば、長手方向に沿った複数のステッチによって、第１外布部と内布部と第２外布部とを固定してあるため、各布部のズレが生じ難くなり、ボディタオルのハンドリング性の低下を防止しするとともに、身体を擦る際の違和感をより軽減することができる。
【００１１】
本発明に係るボディタオルの第４の特徴構成は、前記内布部に嵩高部を点在させた点にある。
【００１２】
上記構成によれば、内布部に嵩高部を設けることによって、第１外布部と第２外布部との間に隙間を作り出すため泡もちがよくなる。さらに、この嵩高部により、ボディタオルの表面には適度な凹凸が形成され、肌当たりが良くマッサージ性が向上する。
【００１３】
本発明に係るボディタオルの第５の特徴構成は、前記内布部は、織物または編物で形成されており、所定の間隔で嵩高部を設けた糸を、部分的に配して形成した点にある。
【００１４】
上記構成によれば、所定の間隔で嵩高部を設けた糸を、織物または編物に配しているので、ボディタオルの使用時において嵩高部の片寄りやズレを抑制することができる。
【００１５】
本発明に係るボディタオルの第６の特徴構成は、前記内布部が経編で形成されており、前記嵩高部を設けた糸を、前記経編の経糸複数本に１本の間隔で長手方向の全長にわたって編み込んだ点にある。
【００１６】
上記構成によれば、所定の間隔で嵩高部を設けた糸を、内布部に所定の間隔をあけて編み込まれているので、嵩高部が内布部に対して固定され、ボディタオルの使用時において嵩高部の片寄りやズレをより抑制することができる。
【００１７】
本発明に係るボディタオルの第７の特徴構成は、前記内布部が、織物または編物で形成されており、所定の間隔で嵩高部を設けた糸を、前記ステッチ同士の間に１本配されるように形成した点にある。
【００１８】
上記構成によれば、第１外布部及び第２外布部に対し、嵩高部を設けた内布部がよりズレ難くなるため、ボディタオルの使用時において嵩高部の片寄りやズレをより抑制することができる。また、ボディタオルの表面に適度な凹凸が一定ピッチで形成されるため、肌当たりもよく、外観的にも統一ある美観を形成することができる。
【図面の簡単な説明】
【００１９】
【図１】第1外布部の一部を切り欠いた平面図
【図２】第1外布部及び第２外布部と内布部とを示す分解斜視図
【図３】ボディタオルの長手方向に沿った断面図
【図４】ボディタオルの幅方向に沿った断面図
【発明を実施するための形態】
【００２０】
以下、本発明のボディタオルの一実施形態を図面に基づいて説明する。
本発明のボディタオル１０は、図１〜４に示すように、通常のタオルと同様に、平面視で長辺と短辺を有する長方形状であって、ボディタオル１０の表面を形成する第１外布部１及び第２外布部２と、その間に形成される空間Ｓに配置される内布部３とを備える。ボディタオル１０は、第１外布部１及び第２外布部２を筒状に形成すると共に、その内部に内布部３を挿入し、両短縁部５を縫合することによって、第１外布部１及び第２外布部２と内布部３とを一体に形成してある。また、ボディタオル１０には、長手方向の全長にわたり、所定の間隔で複数のステッチ６が施してあり、このステッチ６によって、第１外布部１及び第２外布部２と内布部３とを固定し、空間Ｓ内での内布部３の動きが規制できるようになっている。
【００２１】
第１外布部１及び第２外布部２は、天然繊維を主成分として構成してあり、丸編みで筒状とすることで一体に形成してある。第１外布部１及び第２外布部２は、天然繊維を主成分として構成してあれば、特に限定はされず、混紡、混繊、挿入等の手段により合成繊維等、天然繊維以外の繊維を含んでいても何ら構わない。肌触りをより良くするために、天然繊維の重量割合は、好ましくは６０％以上であり、より好ましくは８０％以上であり、さらに好ましくは１００％である。使用する天然繊維の種類としては、特に制限はなく、例えば、綿、麻、絹等の１種または２種以上の繊維を任意に選択することができ、中でも、安価で肌触りの良い綿が好ましく適用できる。第１外布部１及び第２外布部２を構成する糸は、ボディタオルとして使用できれば、特に制限はなく、任意の太さ、撚数の糸を使用することができ、その他の物理的、化学的加工を施していても良い。綿を用いる場合には、ボディタオルとして柔らかな風合いを生み出すべく、例えば、糸の撚り数を緩くし、強度に耐えうる程度の細めの糸を使用することが好ましい。
【００２２】
また、第１外布部１及び第２外布部２は、本実施形態においては、上述の通り、丸編みで一体に形成しており、このような構成にすることにより、第１外布部１と第２外布部２との両縁部の縫い合わせの手間を省くことができるため、コスト的にも好ましいが、第１外布部１と第２外布部２とは、別体として、平織等の織物または経編や緯編等の編物をそれぞれ形成し、縫合することで一体にすることもできる。第１外布部１及び第２外布部２の目付、密度等は、ボディタオルとして使用できる範囲で特に限定されず、混紡、混繊、挿入等の手段により任意に設定することができ、それぞれを別体として形成する場合には、第１外布部１と第２外布部２とで組織等を異ならせることもできる。
尚、本実施形態では、第1外布部１及び第２外布部２は、内布部３に比べて細めの糸を使用し、編み目が作り出す孔の大きさが２ｍｍ×４ｍｍ程度となるように丸編みを形成している。
【００２３】
内布部３は、合成繊維を主成分として構成すると共に、メッシュ状となる経編で形成し、経糸３１の複数本に１本の間隔で、所定の間隔で嵩高部４２を設けた糸４を配してある。
内布部３は、合成繊維を主成分として構成してあれば、特に限定はされず、混紡、混繊、挿入等の手段により天然繊維等、合成繊維以外の繊維を含んでいても何ら構わない。泡立ちをよくするために、合成繊維の重量割合は、好ましくは６０％以上であり、より好ましくは８０％以上であり、さらに好ましくは１００％である。使用する合成繊維の種類としては、特に制限はなく、例えば、ポリエステル、ナイロン、アクリル等の１種または２種以上の繊維を任意に選択することができる。特に、安価で、水に濡れた際にも弾性が比較的高く網目が変形し難いという観点から、ＰＥＴ等のポリエステルが好ましく適用できる。内布部３を構成する糸は、ボディタオルとして使用できれば、特に限定されず、任意の太さ、撚数の糸を使用することができ、その他の物理的、化学的加工を施していても良い。
【００２４】
また、本実施形態においては、内布部３として、シングルラッセル編等で形成されるメッシュ状の経編地を用いているが、これに限定されるものでなく、任意の組織の織物または編物を使用することができ、目付、密度等においても、ボディタオルとして使用できる範囲で任意に設定することができる。
尚、内布部３として経編または緯編等の編物を用いることは、空気と洗浄液が良好に混ざり易くなり、泡立ちが良くなるため、好ましい態様である。本実施形態では、内布部３は、経糸３１と緯糸３２とで作り出される格子の大きさが４ｍｍ×５ｍｍ程度のメッシュ状となるように形成している。
【００２５】
嵩高部４２は、経糸３１の複数本（例えば１０本）に１本の間隔で配した糸に、内布部３の格子１つ〜２つおきとなる所定の間隔で複数設けてある。所定の間隔で嵩高部４２を設けた糸４は、ボディタオル１０の長手方向に全長にわたって直線状に編み込まれており、その編み込みの目を一定間隔で飛ばすことによって、編み込まれている糸芯部４１と、編み込まれず撓んだ嵩高部４２とが作り出されている。嵩高部４２は、例えば、複数本のフィラメントに撚りをかけた糸４を所定間隔で目を飛ばしながら編み込んで内布部３を作製した後や、作製した内布部３を第１外布部１と第２外布部２との間に形成される空間Ｓに配置させて一体に形成した後に、熱処理等によりフィラメントを膨出させることによって形成することができるが、インターレース糸等、あらかじめ嵩高加工を施した糸を配すること等によっても形成することができ、その形成手段は特に限定されない。尚、ボディタオル１０における嵩高部４２の位置、嵩高部４２を設ける間隔、嵩高部４２を設けた糸４を配する間隔等は、特に限定されず、泡立ち、肌あたり等を考慮して、任意に設定することができる。
【００２６】
また、本実施形態では、経編でメッシュ状に形成した内布部３に対し、所定の間隔で嵩高部４２を設けた糸４をボディタオル１０の長手方向に配するものを例示したが、特に限定されない。例えば、所定の間隔で嵩高部４２を設けた糸４をボディタオル１０の幅方向に配してもよく、内布部３の織物または編物の組織に応じて、任意に配することができる。
【００２７】
ステッチ６は、上述の通り、第１外布部１及び第２外布部２の間に形成される空間Ｓに内布部３を配置した後、ボディタオル１０の長手方向の全長にわたって施してある。このステッチ６によって、空間Ｓは複数の小空間Ｓａに区切られ、本実施形態では、小空間Ｓａに嵩高部４２を設けた糸４が１本配されるように、５本のステッチが施してある。このようにステッチ６を施すことによって、空間Ｓ内での内布部３の動きを規制することができ、それぞれの嵩高部４２をボディタオル１０の所定位置に保持することができる。尚、ステッチ６は、空間Ｓ内の内布部３の動きを規制できれば、本実施形態の例に限らず、任意の数、間隔で施すことができる。また、ステッチ６に使用する繊維は、天然繊維、合成繊維等、特に限定はされないが、肌触りをより良くする観点から、第１外布部１及び第２外布部２を構成する繊維と同様に、天然繊維を用いることが好ましい。
【００２８】
以上の通り構成されたボディタオル１０によれば、使用者の肌に直接触れる第１外布部１と第２外布部２とは天然繊維を主成分として作られているので、肌に対して優しくなる。また、第１外布部１と第２外布部２とによって覆われた内布部３は合成繊維を主成分として作られているので泡立ちが良く、さらに嵩高部４２を有することによって、第１外布部１と第２外布部２との間に隙間を作り出すことができるため泡もちもよくなる。さらに、この嵩高部４２により、ボディタオルの表面には適度な凹凸が形成され、肌当たりが良くマッサージ性を向上させることもできる。
【００２９】
尚、本実施形態では、内布部３に嵩高部４２を設けた例を示したが、嵩高部４２は必ずしも設ける必要はない。
また、本実施形態では、ボディタオル１０の長手方向の全長にわたり、所定に間隔で複数のステッチ６が施した例を示したが、ステッチ６は必ずしも設ける必要はない。
【符号の説明】
【００３０】
１０    ボディタオル
１      第１外布部
２      第２外布部
３      内布部
３１    経糸
３２    緯糸
４      嵩高部を設けた糸
４１    糸芯部
４２    嵩高部
５      短縁部
６      ステッチ部
Ｓ      空間
Ｓａ    小空間
【図１】
2015144784.tif 000003
【図２】
2015144784.tif 000004
【図３】
2015144784.tif 000005
【図４】
2015144784.tif 000006